(57)【要約】【課題】電連接器の提供。【解決手段】絶縁本体、１対のロック弾片及び蓋板により組成する。該絶縁本体は複数の導電端子を収容設置し、該絶縁本体両側には該ロック弾片を設置可能な設置部を一体成型する。該ロック弾片は上から下に向かい該設置部の挿入設置槽内に設置し、該設置部には該ロック弾片の押圧部の過度の押圧を防止する当接部を設置する。該押圧部には対応接続連接器を嵌入、或いは脱離可能なロック部を延伸し、しかも該設置部上には該ロック弾片の離脱を防止する脱落防止部を設置する。こうして組立てが容易で、使用が便利、かつロック弾片の損壊或いは離脱を防止する機能と効果を達成することができる。【選択図】図１
0003132144.tif 000002
【実用新案登録請求の範囲】
【請求項１】
絶縁本体、１対のロック弾片、蓋板を含み、
該絶縁本体は複数の端子挿入槽を備え、該端子挿入槽は複数の導電端子を収容設置し、該端子挿入槽の両側には設置部を一体成型し、該設置部上には挿入設置槽、当接部及び脱落防止部を設置し、
該１対のロック弾片は上から下に向かい該挿入設置槽内に挿入設置し、該ロック弾片は押圧に用いる押圧部を凸設し、該押圧部の内壁面と該当接部間には押圧空間を形成し、しかも該ロック弾片の外側面は脱落防止部内壁面に接触固定し、該ロック弾片一端には弾性移動が可能なロック部を延伸し、
該蓋板は上から下に向かい該絶縁本体上に設置し、該ロック弾片上方を覆うことを特徴とする電連接器。
【請求項２】
請求項１記載の電連接器において、前記設置部の挿入設置槽は中央より当接部を突出し、該挿入設置槽の外側には脱落防止部を凸設することを特徴とする電連接器。
【請求項３】
請求項１記載の電連接器において、前記絶縁本体は該端子挿入槽両側の設置部に近い位置上に定位槽を設置し、該脱落防止部上には貫通した穿通槽を設置し、該蓋板はそれぞれ該定位槽及び該穿通槽に穿置可能な定位片を設置することを特徴とする電連接器。
【請求項４】
請求項１記載の電連接器において、前記ロック弾片のロック部は該押圧部前端の外側において突出し、該ロック部は対応接続連接器上に嵌合し、これにより該絶縁本体と対応接続連接器は結合し、また該押圧部を当接部方向に向けて押圧すれば、該ロック部は対応接続連接器を離脱することを特徴とする電連接器。
【請求項５】
請求項１記載の電連接器において、前記ロック弾片後端は下に向かい凸片を突出し、該凸片は該絶縁本体底部に湾曲定位することを特徴とする電連接器。
【請求項６】
絶縁本体及び１対のロック弾片により組成し、
該絶縁本体は複数の端子挿入槽を備え、該端子挿入槽両側には該ロック弾片を上から下に向かい設置可能な設置部を一体成型し、
該ロック弾片は押圧部を備え、該押圧部は対応接続連接器を係合或いは対応接続連接器から離脱可能なロック部を一体に延伸することを特徴とする電連接器。
【請求項７】
請求項６記載の電連接器において、前記絶縁本体上には蓋板を覆蓋し、これにより該ロック弾片の離脱を防止することを特徴とする電連接器。
【請求項８】
請求項６記載の電連接器において、前記設置部は挿入設置槽を形成し、該ロック弾片を収容設置可能で、該挿入設置槽中央には押圧部の過度の押圧を防止可能な当接部を凸設し、しかも該挿入設置槽の外側には該ロック弾片の離脱を防止可能な脱落防止部を凸設することを特徴とする電連接器。
【考案の詳細な説明】
【技術分野】
【０００１】
本考案は一種の電連接器に関する。特に一種の対応接続連接器を固定可能なロック弾片を備える電連接器に係る。
【背景技術】
【０００２】
一般に電連接器と対応接続連接器を相互に結合する時には、通常は嵌合部品を利用し、電連接器と対応接続連接器を一つに嵌合する。
特許文献１を掲示する。該各連接器はおよそ、絶縁体を備え該絶縁体両側において吊り下げアーム形状の棒を提供し、しかも該絶縁体前端には固定槽を備える。該絶縁体と該棒の間には棒槽を設置し、これにより固定バネを前方から挿入し内部に設置し、該棒槽は外に向かって操作部を延伸する。該固定バネはU型部を備え、該U型部は前に向かい錐形部及び接合部を延伸する。しかも該絶縁体の上方及び下方はそれぞれ上殼体及び下殼体により覆われ、該上殼体及び該下殼体は該操作部が垂直方向において力を受け損壊することを防止する。
【０００３】
【特許文献１】台湾特許第93116768号明細書
【０００４】
上記構造において、該固定バネの錐形部及び接合部が該固定槽の外に突出する時がロック状態で、この時には該錐形部及び該接合部は対応接続連接器上に嵌入する。反対に、該固定バネの錐形部及び接合部を該対応接続連接器から離脱させたい時には、該操作部上に力を加え、該操作部を内側に向けて推動する。これにより該操作部は該棒槽内に設置する固定バネを推動し、該固定バネ前端の錐形部及び接合部を連動し内側に向けて移動させるため、該錐形部及び該接合部は該対応接続連接器を離脱する。
【０００５】
しかし、上記の公知技術中では、該絶縁体自体の構造は非常に複雑で、しかも該絶縁体両側において棒、操作部、固定槽及び棒槽を一体成型しなければならず、製造工程上の難度を高めている。
しかも該棒は弾性力が必要であるが、該絶縁体と部分接合でなければ弾性力を備えることはできない。よって製造及び組立て過程において断裂の状況が発生し易く、絶縁体の棒の断裂或いは変形を防止するためには、該絶縁体の上下表面を上殼体及び下殼体で覆わなければならず、製造コストを拡大する要因になっている。
さらに該固定バネの該棒槽前方の開口からの脱出を防止するために、該棒槽前方の開口は比較的小さく、よって該固定バネ組立て時の困難度を増している。しかも該固定バネは、直接押圧するのではなく、押圧棒の操作部を通さなければ移動することはできないため、該固定バネを押し移動させるためにはより大きな力を必要とし、操作を不便にしており、しかも推動の効果も理想的とは言えない。
【考案の開示】
【考案が解決しようとする課題】
【０００６】
本考案は電連接器を提供し、これにより電連接器と対応接続連接器の組立てはより便利となり、
またそれは電連接器を提供し、これにより全体構造を単純化し、及び製造コストを低下させることができ、
すなわちそれは絶縁本体、１対のロック弾片及び蓋板により構成し、
該絶縁本体両側には該ロック弾片を設置可能な設置部を一体成型し、
該ロック弾片は上から下に向かい該設置部の挿入設置槽内に設置し、該設置部には該ロック弾片の押圧部の該当接部への過度の押圧を防止する当接部を設置し、該押圧部には対応接続連接器を嵌入、或いは脱離可能なロック部を延伸し、しかも該設置部上には該ロック弾片の離脱を防止する脱落防止部を設置し、
こうして組立てを容易にし、使用の利便性を向上させ、ロック弾片の損壊或いは離脱を防止する機能と効果を備える電連接器を提供する。
【課題を解決するための手段】
【０００７】
請求項１の考案は、絶縁本体、１対のロック弾片、蓋板を含み、
該絶縁本体は複数の端子挿入槽を備え、該端子挿入槽は複数の導電端子を収容設置し、該端子挿入槽の両側には設置部を一体成型し、該設置部上には挿入設置槽、当接部及び脱落防止部を設置し、
該１対のロック弾片は上から下に向かい該挿入設置槽内に挿入設置し、該ロック弾片は押圧に用いる押圧部を凸設し、該押圧部の内壁面と該当接部間には押圧空間を形成し、しかも該ロック弾片の外側面は脱落防止部内壁面に接触固定し、該ロック弾片一端には弾性移動が可能なロック部を延伸し、
該蓋板は上から下に向かい該絶縁本体上に設置し、該ロック弾片上方を覆うことを特徴とする電連接器としている。
請求項２の考案は、請求項１記載の電連接器において、前記設置部の挿入設置槽は中央より当接部を突出し、該挿入設置槽の外側には脱落防止部を凸設することを特徴とする電連接器としている。
請求項３の考案は、請求項１記載の電連接器において、前記絶縁本体は該端子挿入槽両側の設置部に近い位置上に定位槽を設置し、該脱落防止部上には貫通した穿通槽を設置し、該蓋板はそれぞれ該定位槽及び該穿通槽に穿置可能な定位片を設置することを特徴とする電連接器としている。
請求項４の考案は、請求項１記載の電連接器において、前記ロック弾片のロック部は該押圧部前端の外側において突出し、該ロック部は対応接続連接器上に嵌合し、これにより該絶縁本体と対応接続連接器は結合し、また該押圧部を当接部方向に向けて押圧すれば、該ロック部は対応接続連接器を離脱することを特徴とする電連接器としている。
請求項５の考案は、請求項１記載の電連接器において、前記ロック弾片後端は下に向かい凸片を突出し、該凸片は該絶縁本体底部に湾曲定位することを特徴とする電連接器としている。
【０００８】
請求項６の考案は、絶縁本体及び１対のロック弾片により組成し、
該絶縁本体は複数の端子挿入槽を備え、該端子挿入槽両側には該ロック弾片を上から下に向かい設置可能な設置部を一体成型し、
該ロック弾片は押圧部を備え、該押圧部は対応接続連接器を係合或いは対応接続連接器から離脱可能なロック部を一体に延伸することを特徴とする電連接器としている。
請求項７の考案は、請求項６記載の電連接器において、前記絶縁本体上には蓋板を覆蓋し、これにより該ロック弾片の離脱を防止することを特徴とする電連接器としている。
請求項８の考案は、請求項６記載の電連接器において、前記設置部は挿入設置槽を形成し、該ロック弾片を収容設置可能で、該挿入設置槽中央には押圧部の過度の押圧を防止可能な当接部を凸設し、しかも該挿入設置槽の外側には該ロック弾片の離脱を防止可能な脱落防止部を凸設することを特徴とする電連接器としている。
【考案の効果】
【０００９】
本考案のロック弾片は上から下に向かい設置部の挿入設置槽内に挿入設置するため、組立てが便利で、さらに蓋板により絶縁本体上方を覆うため、ロック弾片の上方からの離脱を防止可能である。またロック弾片の押圧部は当接部の外側に固設するため、押圧部の受力が過大である時には、押圧部内壁面は当接部の外壁面に接触し、こうして押圧部が過大な外力の圧迫を受け、ロック弾片が損壊することを防止することができる。さらに挿入設置槽外側には脱落防止部を凸設し、これによりロック弾片の左右方向からの脱落を防止し、こうしてロック弾片は安定的に定位される。本考案は押圧ロック弾片の押圧部により移動を制御可能であるため、公知のように絶縁本体を対応しなければ作動できない構造に比べ、全体構造を単純化することができる。
【考案を実施するための最良の形態】
【００１０】
本考案の立体分解図、蓋板未蓋合時の立体外観図及び本考案の立体組合せ図である図１、２、３に示すように、本考案の電連接器は絶縁本体1、１対のロック弾片2及び蓋板3により組成する。
該絶縁本体1は複数の端子挿入槽11を備え、該端子挿入槽11は複数の導電端子111を収容設置し、該端子挿入槽11両側には設置部12を一体成型する。該設置部12上には挿入設置槽121を設置し、該挿入設置槽121中央には当接部122を凸設する。しかも該挿入設置槽121外側には脱落防止部123を凸設する。さらに該絶縁本体1は該端子挿入槽11両側の該設置部12に近い位置上に定位槽13を設置し、しかも該脱落防止部123上には貫通した穿通槽124を設置する。
該ロック弾片2中央部位には押圧に用いる押圧部21を凸設し、該押圧部21一端は前に向かい弾性移動が可能なロック部22を一体に延伸し、しかも該ロック弾片2後端には下に向かい凸片23を凸設する。
該蓋板3の外型は該絶縁本体1の外型に符合し、これにより該蓋板3は該絶縁本体1の上方を覆蓋可能で、該蓋板3の両側は下に向かい複数の定位片31を一体に延伸する。
【００１１】
上記構成部品の組み立て時には、先ず複数の導電端子111を該絶縁本体1の端子挿入槽11内に挿入設置し、さらに該対ロック弾片2をそれぞれ上から下に向かい該絶縁本体1両側の設置部12の挿入設置槽121内に設置する。この時、該ロック弾片2中央の押圧部21は該当接部122の外側に位置し、該ロック弾片2前方、後方は該脱落防止部123内側に位置する。しかも該ロック弾片2前端のロック部22は該挿入設置槽121外に突出する。
最後に図２に示すように、該蓋板3を上から下へと該絶縁本体1上方に蓋合し、該蓋板3の複数の定位片31をそれぞれ該定位槽13及び該穿通槽124内に挿入設置する。こうして該蓋板3と該絶縁本体1は結合し、図３に示すように、全体の組立てを完成する。
【００１２】
本考案底面が上を向く立体図である図４に示すように、該蓋板3の複数の定位片31がそれぞれ該穿通槽124に設置される時、該定位片31の末端は該絶縁本体1底部において突出する。このため、該定位片31末端は垂直に湾曲し、これにより該定位片31は該絶縁本体1底部に接触固定し、該蓋板3は該絶縁本体1上において安定的に固定され、該ロック弾片2後端の凸片23は該絶縁本体1の設置部12底部において湾曲定位され、こうして該ロック弾片2は安定的に定位される。
【００１３】
本考案を対応接続連接器と結合する時には、該絶縁本体1両側のロック弾片2前端に突出するロック部22を直接利用し、対応接続連接器（図示なし）上に係合し、対応接続連接器との結合を完成する。本考案の電連接器を対応接続連接器から離脱させる時には、該押圧部21上に力を加え、該押圧部21を該当接部122方向に向けて押圧すれば、該押圧部21前端のロック部22は該絶縁本体1の方向に向けて移動し、該ロック部22は対応接続連接器を離脱する。
【００１４】
さらに該ロック弾片2のロック部22は本実施例中では、該押圧部21より一体成型で延伸し、また該ロック部22は該押圧部21とは個別の構成部品とすることもできる。こうして各種方式により一体に結合し、上記の機能と効果を達成することができる。
【図面の簡単な説明】
【００１５】
【図１】本考案の立体分解図である。
【図２】本考案蓋板を蓋合する前の立体外観図である。
【図３】本考案の立体組合せ図である。
【図４】本考案底面が上を向く立体図である。
【符号の説明】
【００１６】
1   絶縁本体
11  端子挿入槽
111   導電端子
12  設置部
121   挿入設置槽
122   当接部
123   脱落防止部
124   穿通槽
13  定位槽
2   ロック弾片
21  押圧部
22  ロック部
23  凸片
3   蓋板
31  定位片
【図１】
0003132144.tif 000003
【図２】
0003132144.tif 000004
【図３】
0003132144.tif 000005
【図４】
0003132144.tif 000006